(57)【要約】【課題】電気接点が接触してから操作感を生じさせるスイッチを提供すること。【解決手段】撓み方向に撓むばね部と、前記ばね部の先端部と前記ばね部の基部の中間に設けられ、回路端子部と接触するための接続部と、前記ばね部の先端部と係合し前記ばね部の撓み方向位置を規制する規制部と、を備え、前記先端部と前記基部との間の作用部を前記回路端子部の方向に押圧することにより、前記接続部が前記回路端子部に接触した後に、前記規制部と前記先端部との係合が解除される、電子機器のスイッチ機構。【選択図】図６
2011198670.tif 000002
【特許請求の範囲】
【請求項１】
撓み方向に撓むばね部と、
前記ばね部の先端部と前記ばね部の基部の中間に設けられ、回路端子部と接触するため
の接続部と、
前記ばね部の先端部と係合し前記ばね部の撓み方向位置を規制する規制部と、
を備え、
前記先端部と前記基部との間の作用部を前記回路端子部の方向に押圧することにより、
前記接続部が前記回路端子部に接触した後に、前記規制部と前記先端部との係合が解除さ
れる、電子機器のスイッチ機構。
【請求項２】
前記接続部は、前記ばね部よりも前記撓み方向に突出するように形成されている、請求
項１に記載の電子機器のスイッチ機構。
【請求項３】
さらに、前記ばね部の先端部と前記ばね部の基部との間に前記撓み方向に突出する突き
当て部が設けられ、
前記接続部は、前記突き当て部よりも前記撓み方向に突出するように形成されている、
請求項２に記載の電子機器のスイッチ機構。
【請求項４】
前記作用部への押圧力を解除したとき、前記ばね部の弾性力によって前記回路端子部と
前記接続部との接続を解除するとともに、前記ばね部が押圧される前の初期位置まで復帰
する、請求項１〜３のいずれかに記載の電子機器のスイッチ機構。
【請求項５】
前記ばね部と前記接続部と前記規制部は、前記ばね部の基部が連続する基板体と一体に
構成される、請求項１〜４のいずれかに記載の電子機器のスイッチ機構。
【請求項６】
前記規制部の先端部において、前記ばね部の先端部と契合し、前記作用部に押圧力を作
用させたとき、前記規制部が前記スイッチばねの先端部の延長方向に撓む、請求項１〜５
のいずれかに記載の電子機器のスイッチ機構。
【請求項７】
前記作用部に突起部が形成され、
前記突起部に押し力を付勢して前記規制部と前記先端部との係合を解除する、請求項１
〜６のいずれかに記載の電子機器のスイッチ機構。
【請求項８】
撓み方向に撓むスイッチばねと、
前記撓み方向に弾性変形する回路端子部と、
前記スイッチばねの先端部と前記スイッチばねの基部の中間に設けられる接続部であっ
て、回路端子部と接触するための接続部と、
前記ばね部の先端部と係合し前記ばね部の撓み方向位置を規制する規制部と、
を備え、
前記先端部と前記基部との間の作用部を前記回路端子部の方向に押圧することにより、
前記スイッチばねが前記回路端子部に接触した後に、該回路端子部が前記撓み方向に弾性
変形するとともに前記規制部と前記先端部との係合が解除される、電子機器のスイッチ機
構。
【発明の詳細な説明】
【技術分野】
【０００１】
本発明は、電子機器のスイッチ機構に関する。
【背景技術】
【０００２】
電子機器には操作のために各種のスイッチが設けられる。このようなスイッチは、部品
点数を少なくしつつ、操作感のよいスイッチであることが望ましい。特許文献１には、部
品点数を少なくしつつも、クリック感などの操作感を有する電子機器のスイッチ機構が示
されている。
【先行技術文献】
【特許文献】
【０００３】
【特許文献１】特開２００７−３２３９７１号公報
【発明の概要】
【発明が解決しようとする課題】
【０００４】
このようなスイッチ機構は、スイッチを速く押したときにおいて、クリック感が生ずる
のと同時に電気接点にスイッチが接触する。しかしながら、ゆっくりとスイッチを押し込
んだときには、クリック感は生ずるものの、電気接点にスイッチが接触しない状態が生じ
得る。このような場合、操作者は操作したとの認識を持つのに対し、実際には操作が行わ
れていないという問題が生ずる。よって、電気接点が接触してからクリック感などの操作
感を生ずるようなスイッチが望ましい。
【０００５】
本発明は、このような事情に鑑みてなされたものであり、電気接点が接触してから操作
感を生じさせるスイッチを提供することを目的とする。
【課題を解決するための手段】
【０００６】
上記目的を達成するための主たる発明は、
撓み方向に撓むばね部と、
前記ばね部の先端部と前記ばね部の基部の中間に設けられ、回路端子部と接触するため
の接続部と、
前記ばね部の先端部と係合し前記ばね部の撓み方向位置を規制する規制部と、
を備え、
前記先端部と前記基部との間の作用部を前記回路端子部の方向に押圧することにより、
前記接続部が前記回路端子部に接触した後に、前記規制部と前記先端部との係合が解除さ
れる、電子機器のスイッチ機構である。
【０００７】
本発明の他の特徴については、本明細書及び添付図面の記載により明らかにする。
【図面の簡単な説明】
【０００８】
【図１】第１実施形態に係る電子機器のスイッチ機構を示す平面図である。
【図２】電子機器のスイッチ機構の拡大図である。
【図３】図１を押しボタン方向から視認した部分正面図である。
【図４】スイッチ板３０の一部を示す斜視図である。
【図５】スイッチ板３０の全体形状の概略を示す平面図である。
【図６】図６Ａは、ボタン押し操作に伴うスイッチ機構の動作を段階的に示す第１の部分平面図であり、図６Ｂは、ボタン押し操作に伴うスイッチ機構の動作を段階的に示す第２の部分平面図であり、図６Ｃは、ボタン押し操作に伴うスイッチ機構の動作を段階的に示す第３の部分平面図である。
【図７】図７Ａは、第２実施形態に係るスイッチ機構において、スイッチ入力操作前の状態を示す図であり、図７Ｂは、第２実施形態に係るスイッチ機構において、スイッチ入力操作の状態を示す図である。
【図８】第３実施形態に係る電子機器のスイッチ機構を示す斜視図である。
【図９】図９Ａは、第４実施形態に係る電子機器のスイッチ機構を示す平面図であり、図９Ｂは、Ａ−Ａ端面図である。
【図１０】図１０Ａは、第４実施形態のスイッチ機構の動作を段階的に示す第１の部分平面図であり、図１０Ｂは、第４実施形態のスイッチ機構の動作を段階的に示す第２の部分平面図であり、図１０Ｃは、第４実施形態のスイッチ機構の動作を段階的に示す第３の部分平面図である。
【図１１】第４実施形態の第１の変形例を示す図である。
【図１２】第４実施形態の第２の変形例を示す図である。
【発明を実施するための形態】
【０００９】
本明細書及び添付図面の記載により、少なくとも、以下の事項が明らかとなる。
【００１０】
撓み方向に撓むばね部と、
前記ばね部の先端部と前記ばね部の基部の中間に設けられ、回路端子部と接触するため
の接続部と、
前記ばね部の先端部と係合し前記ばね部の撓み方向位置を規制する規制部と、
を備え、
前記先端部と前記基部との間の作用部を前記回路端子部の方向に押圧することにより、
前記接続部が前記回路端子部に接触した後に、前記規制部と前記先端部との係合が解除さ
れる、電子機器のスイッチ機構。  
このようにすることで、電気接点が接触してから操作感を生じさせるスイッチを提供す
ることができる。
【００１１】
かかる電子機器のスイッチ機構であって、前記接続部は、前記ばね部よりも前記撓み方
向に突出するように形成されていることが望ましい。また、さらに、前記ばね部の先端部
と前記ばね部の基部との間に前記撓み方向に突出する突き当て部が設けられ、前記接続部
は、前記突き当て部よりも前記撓み方向に突出するように形成されていることが望ましい
。また、前記作用部への押圧力を解除したとき、前記ばね部の弾性力によって前記回路端
子部と前記接続部との接続を解除するとともに、前記ばね部が押圧される前の初期位置ま
で復帰することが望ましい。また、前記ばね部と前記接続部と前記規制部は、前記ばね部
の基部が連続する基板体と一体に構成されることが望ましい。
【００１２】
また、前記規制部の先端部において、前記ばね部の先端部と契合し、前記作用部に押圧
力を作用させたとき、前記規制部が前記スイッチばねの先端部の延長方向に撓むことが望
ましい。また、前記作用部に突起部が形成され、前記突起部に押し力を付勢して前記規制
部と前記先端部との係合を解除することが望ましい。  
このようにすることで、電気接点が接触してから操作感を生じさせるスイッチを提供す
ることができる。
【００１３】
撓み方向に撓むスイッチばねと、
前記撓み方向に弾性変形する回路端子部と、
前記スイッチばねの先端部と前記スイッチばねの基部の中間に設けられる接続部であっ
て、回路端子部と接触するための接続部と、
前記ばね部の先端部と係合し前記ばね部の撓み方向位置を規制する規制部と、
を備え、
前記先端部と前記基部との間の作用部を前記回路端子部の方向に押圧することにより、
前記スイッチばねが前記回路端子部に接触した後に、該回路端子部が前記撓み方向に弾性
変形するとともに前記規制部と前記先端部との係合が解除される、電子機器のスイッチ機
構。  
このようにすることで、電気接点が接触してから操作感を生じさせるスイッチを提供す
ることができる。
【００１４】
＝＝＝第１実施形態＝＝＝
図１は、第１実施形態に係る電子機器のスイッチ機構を示す平面図である。図２は、電
子機器のスイッチ機構の拡大図である。図３は、図１を押しボタン方向から視認した部分
正面図である。図４は、スイッチ板３０の一部を示す斜視図である。図１〜図４において
、電子機器１は、筐体１０内に装着されるスイッチ板３０と一体に形成されるばね部３２
と規制部３６とからなるスイッチ機構と、スイッチ機構の下部に配設される図示しない電
子回路が実装された回路基板５０とを含んで構成されている。ばね部３２は、ばね部３２
が撓む方向に突出して形成される突き当て部３４ｂと、突き当て部３４ｂよりも突出して
形成され回路端子部５１と接続するための接続部３４ａを含む。
【００１５】
筐体１０には、筐体１０の内外を連通するボタン挿通孔１０ａが開設されており、この
ボタン挿通孔１０ａを挿通する外部操作部材としての押しボタン２０が備えられている。
【００１６】
押しボタン２０は、筐体１０の外周側に突出する鍔状の頭部２０ａとばね部３２に当接
するばね押部２０ｃと、頭部２０ａとばね押部２０ｃとを連続するボタン軸２０ｂが段状
に形成されている。ばね押部２０ｃは、筐体１０の内側に突設されている。
【００１７】
押しボタン２０の頭部２０ａの内部には押しボタン２０を筐体１０の外側に付勢するボ
タン復帰ばね２１が設けられており、ボタン復帰ばね２１は、ばね座２２によって保持さ
れている。ボタン軸２０ｂとボタン挿通孔１０ａの細管部との間にはリング状のパッキン
２３が圧入されており、ボタン挿通孔１０ａの周囲における水密性を保持している。押し
ボタン２０のばね押部２０ｃ近傍にはボタン固定座２４ が設けられ、押しボタン２０を
筐体１０から脱落しないよう保持している。
【００１８】
押しボタン２０は、押し操作により、図中矢印Ａ方向からの押し力をばね部３２に付勢
する。なお、ボタン操作をやめる（つまり、押しボタンから手を離す）とボタン復帰ばね
２１の弾性力によって初期位置（図１に示す状態）に復帰する。
【００１９】
ばね部３２は、スイッチ板３０の外周部に形成される板状のばね部材であって、基部３
１から断面方向下側に曲げられており、スイッチ板３０の外周に沿って延在されている。
ばね部３２は、先端部３３と基部３１の長手方向の中間に設けられる押しボタン２０のば
ね押部２０ｃに当接される作用部３５と、作用部３５と先端部３３との中間に回路基板５
０に設けられる回路端子部５１に突き当たる突き当て部３４ｂと、回路端子部５１と接続
する接続部３４ａと、を備えている。作用部３５、突き当て部３４ｂ、接続部３４ａ、先
端部３３との間は、突き当て部３４ｂ及び接続部３４ａが、回路端子部５１方向に突出す
るようにくの字状に曲げ形成されている。但し、接続部３４ａは突き当て部３４ｂよりも
突出して形成されている。突き当て部３４ｂ及び接続部３４ａの頂部は滑らかに丸められ
ていることが望ましい。そして、先端部３３が規制部３６の先端部と交差している（図３
、参照）。
【００２０】
なお、接続部３４ａの配設位置は、基部３１とばね部３２の先端部３３の間にあればよ
く本実施形態に限定されない。
【００２１】
また、図３及び図４に示すように、規制部３６は、基部３１に連続する基板体（スイッ
チ板３０の本体部）としてのスイッチ板体３０ａのばね部３２の先端部３３近傍において
断面下側方向に曲げ形成されている。規制部３６は、ばね部３２の先端部３３の撓み方向
の位置を規制する角部３７と、角部３７に連続する摺動面３８を有しており、この摺動面
３８は、押しボタン２０による押し力の付勢方向に略平行となるように延在されている。
【００２２】
なお、図１に示す状態は、押しボタン２０を押し操作する前の初期状態を示しており、
ばね部３２は弾性力で押しボタン２０を外側に向かって付勢している。従って、接続部３
４と回路端子部５１とは隙間ある状態（電気的な接続が開放されている）となっている。
【００２３】
回路端子部５１は、図示しない回路素子が実装される回路基板５０に形成されるリード
パターンの一部であって、回路素子と電気的に接続されている入力パターンが回路基板５
０の側面まで延在され形成されている。
【００２４】
回路基板５０は機枠２の上面に配設され、回路基板５０の上面側にスイッチ板３０が配
設される（図３参照）。機枠２と回路基板５０とスイッチ板３０は、図示しない共通の案
内軸に挿着されることで正確に位置決めして組立てられている。なお、その一例を図４に
示す。図４において図示される複数の案内孔３９を先述した案内軸に挿着する。
【００２５】
図５は、スイッチ板３０の全体形状の概略を示す平面図である。ここで、同一場所に形
成されるばね部と規制部を一対のスイッチ機構としたとき、図５では４対のスイッチ機構
が形成されている構成を例示している。図５において、右下方向にはばね部３２と規制部
３６とが構成され、右上方向にも同様にばね部３２と規制部３６、左上方向にも同様にば
ね部３２と規制部３６、左下方向にも同様にばね部３２と規制部３６とが形成されている
。
【００２６】
図６Ａは、ボタン押し操作に伴うスイッチ機構の動作を段階的に示す第１の部分平面図
である。図６Ｂは、ボタン押し操作に伴うスイッチ機構の動作を段階的に示す第２の部分
平面図である。図６Ｃは、ボタン押し操作に伴うスイッチ機構の動作を段階的に示す第３
の部分平面図である。
【００２７】
図６Ａは、押しボタン２０を押し操作する前の初期状態を示している。ばね部３２は、
作用部３５が押しボタン２０のばね押部２０ｃに当接しており、ばね部３２の弾性力で押
しボタン２０を筐体１０の外側方向に付勢している。このとき、ばね部３２の先端部３３
と規制部３６の角部３７とは僅かに離間している。そして、接続部３４ａ及び突き当て部
３４ｂは回路端子部５１と十分な距離を有している。
【００２８】
続いて、押しボタン２０を押し操作する。図６Ｂは、ばね部３２の先端部３３が規制部
３６の角部３７との係合が解除される直前まで押しボタン２０を押し操作した状態を示し
ている。図に示すように、接続部３４ａは回路端子部５１と接続される。本実施形態では
、ばね部３２は電気的にはＧＮＤとしている。従って、接続部３４ａが回路端子部５１と
接続された状態においてスイッチ入力（スイッチＯＮ）となる。一方、突き当て部３４ｂ
と回路端子部とは離間した状態である。
【００２９】
さらに、押しボタン２０を押し操作すると、図６Ｃに示すように、ばね部３２の先端部
３３が規制部３６の角部３７との係合が解除され、先端部３３が摺動面３８に沿って摺動
しながら移動し、突き当て部３４ｂが回路端子部５１に突き当たる。
【００３０】
このようにすることによって、クリック感が生ずる前に接続部３４ａと回路端子部５１
とが接続する（図６Ｂ）。そして、その後、図６Ｃの状態に移行してクリック感を生じさ
せる。よって、確実に電気接触が行われた後にクリック感を生じさせることができる。ま
た、このような構成であるので、低コストで製造することもできる。
【００３１】
＝＝＝第２実施形態＝＝＝
第２実施形態は、前述した第１実施形態に示すような押しボタン２０を外部操作部材と
して用いる他に、スライドボタンも用いることができるようにばね部の形状を工夫してい
ることに特徴を有している。第１実施形態に応用した場合を例示して説明する。なお、第
１実施形態と共通部分の説明は省略する。
【００３２】
図７Ａは、第２実施形態に係るスイッチ機構において、スイッチ入力操作前の状態を示
す図であり、図７Ｂは、第２実施形態に係るスイッチ機構において、スイッチ入力操作の
状態を示す図である。
【００３３】
まず、本実施形態に係るスイッチ機構の構造について説明する。図７Ａ及び図７Ｂにお
いて、電子機器１は、筐体１０内にばね部３２と規制部３６とからなるスイッチ機構と、
スイッチ機構の下部に配設される図示しない電子回路が実装された回路基板５０とを含ん
で構成されている。また、ここでも、ばね部３２は、突き当て部３４ｂと、突き当て部３
２ｂよりも突出して形成される接続部３４ａを含む。
【００３４】
筐体１０には、筐体１０の内外を連通するボタン挿通孔１０ａが開設されており、この
ボタン挿通孔１０ａの外周側に筐体１０の周方向に設けられるスライド溝１１が形成され
、このスライド溝１１にスライドボタン６０が装着されている。
【００３５】
スライドボタン６０は、筐体１０の内側に突出するばね押部６１とばね逃げ部６２とが
連続して形成され、筐体１０の外周方向の面にはスライド操作をし易くする溝が設けられ
た操作部６３が形成されている。スライドボタン６０は、スライドボタン保持ばね６５に
よって、スライド溝１１に沿って筐体１０の外周方向に移動可能に筐体１０に装着され、
スライド操作によって、ばね部３２に押し力を付勢する。
【００３６】
ばね部３２には、作用部３５（図１参照）に相当する位置に突起部３５ａが設けられて
いる。突起部３５ａは、本実施形態では半球状に形成され、回路端子部５１の反対側、つ
まり、スライドボタン６０が設けられる方向に配設される。
【００３７】
次に、本実施形態におけるスイッチ機構の動作について説明する。図７Ａは、スイッチ
入力操作前の状態を表している。ばね部３２の突起部３５ａは、スライドボタン６０のば
ね逃げ部６２の位置にあり、突起部３５ａとスライドボタン６０とは接触していない。従
って、ばね部３２の突き当て部３４ｂ及び接続部３４ａは回路端子部５１と離間し接続し
ていない（スイッチ入力ＯＦＦの状態）。
【００３８】
続いて、図７Ｂに示すようにスライドボタン６０を矢印Ａ方向に移動させる。すると、
スライドボタン６０のばね押部６１とスイッチ逃げ部６２との間の斜面部６６によって、
ばね部３２の突起部３５ａが押されてばね部３２は徐々に撓められる。ばね部３２の先端
部３３は、規制部３６の角部３７に押し力が付勢される。すると、接続部３４ａは回路端
子部５１と接続され、スイッチ入力される。
【００３９】
さらにスライドボタン６０を矢印Ａ方向に移動させると、ばね押部６１がばね部３２の
突起部３５ａの頂部まで達し、ばね部３２を押し圧する。この操作の過程において、ばね
部３２の先端部３３と規制部３６の角部３７との係合が解除されるので、解除時と解除後
のばね部３２への反力の差が大きいため、スイッチ入力操作における良好な節度感が得ら
れる。
【００４０】
スライドボタン６０を矢印Ｂ方向に移動させる（図７Ａで表す位置まで）ことにより、
ばね部３２は、自身の弾性力によって初期位置に復帰する。
【００４１】
なお、スライドボタン６０のスライド方向に沿ってスライドボタン６０とスライドボタ
ン保持ばね６５との間のどちらか一方に、それぞれが係合し合う突起または凹部を設ける
ことにより、この突起または凹部を乗り越える前と、乗り越えた後におけるスライドボタ
ン保持ばねの弾性力よる負荷の差によって節度感を有するスライドスイッチ機構を構成す
ることができる。
【００４２】
また、本実施形態は、前述した第１実施形態のような押しボタン２０を採用することも
できる。この場合、突起部３５ａに押しボタン２０のばね押部２０ｃを当接するようにす
ればよい。このように押しボタン２０を外部操作部材として採用する場合、ばね部３２に
は突起部を設けずに、押しボタン２０のばね押部２０の先端に突起部を設ける構造として
もよい。
【００４３】
このようにすれば、ばね押部２０ｃと突起部３５ａ（作用部３５に相当）との当接位置
ずれが発生せず、また当接時における摩擦負荷を低減することができる。
【００４４】
なお、このような突起部３５ａは、プレス加工等によるばね部３２と規制部３６とを展
開した形状に加工する際に同時に形成することが可能であり、製造工数が増加することは
ない。
【００４５】
従って、上述した第２実施形態によれば、ばね部３２の作用部に相当する位置に突起部
３５ａを設けていることから、突起部３５ａの頂点から付勢する押しボタン２０（図１参
照）、突起部３５ａの側面から付勢するスライドボタン６０の両方に対応することができ
る。スライドボタン６０を採用する構造では、スライドボタン６０のストロークがばね部
３２の撓み方向に略直角方向、つまり筐体１０の外周に沿う方向になるため、電子機器の
小型化に有効である。
【００４６】
例えば、前述した第１実施形態〜第２実施形態では、電子機器１の外周方向に外部操作
部材としての押しボタン２０、あるいはスライドボタン６０を設け、これらの配置に対応
したスイッチ機構を配設しているが、それぞれを電子機器１の平面上方または下方に配設
する構造とすることができる。
【００４７】
また、本実施形態のスイッチ機構は、外部から入力操作を行う電子機器、特に電子ウオ
ッチや携帯型の小型電子機器の入力機構として有効である。
【００４８】
＝＝＝第３実施形態＝＝＝
図８は、第３実施形態に係る電子機器のスイッチ機構を示す斜視図である。図には、先
端部１３３、ばね部１３２、作用部１３５、接続部１３４ａ、及び、突き当て部１３４ｂ
が示されている。  
前述の第１実施形態では、接続部３４ａが突き当て部３４ｂよりも突出するように形成
されていたが、第３実施形態のように接続部１３４ａを突き当て部１３４ｂよりも突出し
ないように構成することもできる。この場合、接続部１３４ａに接触する回路端子部５１
が接続部１３４ａとより接触しやすいように突出して形成される。このとき、回路端子５
１は、突き当て部１３４ｂよりも突出して形成されることになる。このようにすることに
よって、先に接続部１３４ａと回路端子部５１とが接触した後に突き当て部１３４ｂが対
応する箇所に突き当たり、クリック感を生じさせることができる。
【００４９】
＝＝＝第４実施形態＝＝＝
図９Ａは、第４実施形態に係る電子機器のスイッチ機構を示す平面図である。図９Ｂは
、Ａ−Ａ端面図である。図９Ａ及び図９Ｂには、規制部２３６、先端部２３３、接続部２
３４ａ、突き当て部２３４ｂ、回路端子部２５１が示されている。  
前述の第１実施形態では、突き当て部２３４ｂは接続部２３４ａが形成される側に設け
られていたが、第４実施形態では回路端子部２５１が形成されている側に設けられている
。そして、図９Ｂに示されるように、回路端子部２５１は、くの字に曲げられて形成され
る。また、回路端子部２５１は、弾性体で形成されているので、接続部２３４ａが接続さ
れ、さらに押し込まれた際に、突き当て部２３４ｂに突き当たるような構成となっている
。
【００５０】
図１０Ａは、第４実施形態のスイッチ機構の動作を段階的に示す第１の部分平面図であ
る。図１０Ｂは、第４実施形態のスイッチ機構の動作を段階的に示す第２の部分平面図で
ある。図１０Ｃは、第４実施形態のスイッチ機構の動作を段階的に示す第３の部分平面図
である。
【００５１】
図１０Ａは、ばね部２３２は、作用部３５が押しボタン２２０に当接しており、ばね部
２３２の弾性力で押しボタン２２０を筐体の外側方向に付勢している。このとき、ばね部
２３２の先端部２３３と規制部２３６の角部２３７とは僅かに離間している。そして、接
続部２３４ａは回路端子部２５１と十分な距離を有している。
【００５２】
続いて、押しボタン２０を押し操作する。図１０Ｂは、ばね部２３２の先端部２３３が
規制部２３６の角部２３７との係合が解除される直前まで押しボタン２２０を押し操作し
た状態を示している。図に示すように、接続部２３４ａは回路端子部２５１と接続される
。本実施形態では、ばね部２３２は電気的にはＧＮＤとしている。従って、接続部２３４
ａが回路端子部２５１と接続された状態においてスイッチ入力（スイッチＯＮ）となる。
【００５３】
さらに、押しボタン２２０を押し操作すると、図１０Ｃに示すように、ばね部２３２の
先端部２３３が規制部２３６の角部２３７との係合が解除され、先端部２３３が摺動面２
３８に沿って摺動しながら移動し、回路端子部５１が接続部２３４ａにより押し込まれ、
突き当て部２３４ｂに突き当たる。
【００５４】
このようにすることによっても、クリック感が生ずる前に接続部２３４ａと回路端子部
２５１とが接続する（図１０Ｂ）。そして、その後、図１０Ｃの状態に移行してクリック
感を生じさせることができる。
【００５５】
図１１は、第４実施形態の第１の変形例を示す図である。図には、規制部３３６、先端
部３３３、接続部３３４ａ、突き当て部３３４ｂ、及び、回路端子部３５１が示されてい
る。回路端子部３５１は、弾性体で形成されている。このようにすることによっても、接
続部３３４ａが回路端子部３５１に接触してから、先端部３３３が規制部３３６を乗り越
える。そして、回路端子部３５１が突き当て部３３４ｂに突き当たり、クリック感を生じ
させることができる。
【００５６】
図１２は、第４実施形態の第２の変形例を示す図である。図には、規制部４３６、先端
部４３３、接続部４３４ａ、突き当て部４３４ｂ、及び、回路端子部４５１が示されてい
る。回路端子部４５１も、弾性体で形成されている。上記同様の動作によって、クリック
感を生じさせることができる。
【００５７】
上記の実施形態は、本発明の理解を容易にするためのものであり、本発明を限定して解
釈するためのものではない。本発明は、その趣旨を逸脱することなく、変更、改良され得
ると共に、本発明にはその等価物が含まれることは言うまでもない。
【符号の説明】
【００５８】
１  電子機器、
３１  ばね部の基部、３２  ばね部、３３  ばね部の先端部、
３４ａ  ばね部の接続部、３４ｂ  ばね部の突き当て部、
３５  ばね部の作用部、３６  規制部、
５１  回路端子部
【図１】
2011198670.tif 000003
【図２】
2011198670.tif 000004
【図３】
2011198670.tif 000005
【図４】
2011198670.tif 000006
【図５】
2011198670.tif 000007
【図６】
2011198670.tif 000008
【図７】
2011198670.tif 000009
【図８】
2011198670.tif 000010
【図９】
2011198670.tif 000011
【図１０】
2011198670.tif 000012
【図１１】
2011198670.tif 000013
【図１２】
2011198670.tif 000014